(57)【要約】【課題】本発明は、小型で、かつ直流抵抗値が低いインダクタンス部品を提供することを目的とするものである。【解決手段】本発明のインダクタンス部品は、ストレート導線からなるコイル導体部１１と、このコイル導体部１１を囲む磁性体部１２と、コイル導体部１１から導出される端子部１３とを備え、前記端子部１３を磁性体部１２の両側面から導出し、かつ磁性体部１２の底面側に折り曲げて半田付け用の端子部１３を構成するとともに、コイル導体部１１と対向する磁性体部１２の底面に位置する端子部１３の一部に切り欠き部１４を形成したものである。【選択図】図２
2009117677.tif 000002
【特許請求の範囲】
【請求項１】
ストレート導線からなるコイル導体部と、このコイル導体部を囲む磁性体部と、前記コイル導体部から導出される端子部とを備え、前記端子部を前記磁性体部の両側面から導出し、かつ前記磁性体部の底面側に折り曲げて半田付け用の端子部を構成するとともに、前記コイル導体部と対向する前記磁性体部の底面に位置する端子部の一部に切り欠き部を形成したインダクタンス部品。
【請求項２】
磁性体部の底面に位置する端子部を、前記磁性体部の底面から見た時にコイル導体部と重ならないように構成した請求項１記載のインダクタンス部品。
【発明の詳細な説明】
【技術分野】
【０００１】
本発明は、特にパワーチョークコイルとして各種電子機器等に用いられるインダクタンス部品に関するものである。
【背景技術】
【０００２】
近年、パワーチョークコイルにおいても、小型で、かつ直列抵抗が低いものへの要望が強くなってきている。
【０００３】
以下、従来のインダクタンス部品について、図面を参照しながら説明する。
【０００４】
図３は従来のインダクタンス部品の端子側から見た側面図、図４は同インダクタンス部品の底面図である。
【０００５】
図３および図４に示すように、従来のインダクタンス部品は、図中破線で表示したストレート導線からなるコイル導体部１を磁性体部２で囲み、そして、この磁性体部２の両側面から導出した端子部３を磁性体部２の底面側に折り曲げて半田付け用の端子部３を構成していた。
【０００６】
なお、この出願の発明に関する先行技術文献情報としては、例えば特許文献１が知られている。
【特許文献１】特開２００３−２８２３３３号公報
【発明の開示】
【発明が解決しようとする課題】
【０００７】
上記した従来のインダクタンス部品においては、大きな電流が流せるようにストレート導線からなるコイル導体部１を用い、そして、実装基板への半田付け性を向上させるために、磁性体部２の両側面から導出した端子部３を磁性体部２の底面側に折り曲げて半田付け用の端子部３を形成しているもので、前記コイル導体部１に電流が流れると、その周りの磁性体部２に磁束が発生するとともに、磁性体部２の外にも磁束が漏れるものである。そして、この漏れた磁束が端子部３に鎖交すると、端子部３には、この磁束を打ち消す方向に渦電流が流れ、そして、その結果として磁束の一部が打ち消されて、インダクタンス部品としてのインダクタンス値が低下するものである。
【０００８】
しかしながら、上記した構成のインダクタンス部品において、所定のインダクタンス値を得ようとすると、コイル導体部１の長さが長くなって、直流抵抗値が大きくなるという課題があり、またこの場合、形状も大きくなるという課題を有していた。
【０００９】
本発明は上記従来の課題を解決するもので、小型で、かつ直流抵抗値が低いインダクタンス部品を提供することを目的とするものである。
【課題を解決するための手段】
【００１０】
上記目的を達成するために、本発明は以下の構成を有するものである。
【００１１】
本発明の請求項１に記載の発明は、ストレート導線からなるコイル導体部と、このコイル導体部を囲む磁性体部と、前記コイル導体部から導出される端子部とを備え、前記端子部を前記磁性体部の両側面から導出し、かつ前記磁性体部の底面側に折り曲げて半田付け用の端子部を構成するとともに、前記コイル導体部と対向する前記磁性体部の底面に位置する端子部の一部に切り欠き部を形成したもので、この構成によれば、端子部に発生する渦電流を小さくすることができるため、インダクタンス値の低下を軽減することができるという作用効果を有するものである。
【００１２】
本発明の請求項２に記載の発明は、特に、磁性体部の底面に位置する端子部を、前記磁性体部の底面から見た時にコイル導体部と重ならないように構成したもので、この構成によれば、端子部に漏れ磁束が鎖交することはほとんどなくなるため、漏れ磁束によるインダクタンス値が低下するのを抑制することができるという作用効果を有するものである。
【発明の効果】
【００１３】
以上のように本発明のインダクタンス部品は、ストレート導線からなるコイル導体部と、このコイル導体部を囲む磁性体部と、前記コイル導体部から導出される端子部とを備え、前記端子部を前記磁性体部の両側面から導出し、かつ前記磁性体部の底面側に折り曲げて半田付け用の端子部を構成するとともに、前記コイル導体部と対向する前記磁性体部の底面に位置する端子部の一部に切り欠き部を形成しているため、漏れ磁束によるインダクタンス値の低下を抑制することができ、そして、所定のインダクタンス値に対してコイル導体部の長さを最小限にすることができるため、直流抵抗値を小さくすることができるとともに、インダクタンス部品の小型化も可能になるという優れた効果を奏するものである。
【発明を実施するための最良の形態】
【００１４】
以下、本発明の一実施の形態におけるインダクタンス部品について、図面を参照しながら説明する。
【００１５】
図１は本発明の一実施の形態におけるインダクタンス部品の端子側から見た側面図、図２は同インダクタンス部品の底面図である。
【００１６】
図１および図２に示すように、本発明の一実施の形態におけるインダクタンス部品は、図中破線で表示した銅板を切断してなるストレート導線からなるコイル導体部１１の周囲を磁性体で囲むことにより磁性体部１２を形成し、そして、この磁性体部１２の両側面から導出した端子部１３を磁性体部１２の底面側に折り曲げ加工して半田付け用の端子部１３を構成するとともに、前記コイル導体部１１と対向する前記磁性体部１２の底面に位置する端子部１３の一部に切り欠き部１４を形成したものである。
【００１７】
上記したインダクタンス部品の製造方法は、まず、銅板を打ち抜き加工して、所定の形状のコイル導体部１１および端子部１３を設けたリードフレームを形成し、次に、このリードフレームを磁性粉末と熱硬化性樹脂よりなる結合剤を混合したものを成形金型で一体成形してコイル導体部１１の部分に磁性体部１２を形成し、そして所定の部分で端子部１３を切断した後、この端子部１３を折り曲げ加工して製造したものである。なお、上記切り欠き部１４はリードフレームを打ち抜き加工する時に同時に形成するようにしているものである。
【００１８】
通常の巻き線型のインダクタンス部品では、端子電極の渦電流によってインダクタンス値が低下しても、その影響度は極めて小さいため、問題にならないが、本発明の一実施の形態におけるインダクタンス部品のように直流抵抗を小さくして大きな電流が流せるように、ストレート導線からなるコイル導体部を用いたインダクタンス部品においては、コイル導体部１１に対向する面積が大きくなって、渦電流によるインダクタンス値の低下する割合が大きくなるものである。これをカバーするためには、コイル導体部１１の長さを長くする、あるいは磁性体部１２を厚くする必要があるが、この場合、サイズが大きくなる、あるいは直流抵抗が大きくなるという課題が生じてくる。
【００１９】
これに対し、渦電流の発生は端子電極の面積に依存するため、本発明の一実施の形態におけるインダクタンス部品のように、磁性体部１２の底面に位置する端子部１３の一部に切り欠き部１４を設けるようにすれば、端子部１３に発生する渦電流を小さくすることができるため、インダクタンス値の低下を軽減することができるものである。
【００２０】
また、前記切り欠き部１４の幅はコイル導体部１１の幅よりも大きくすることがさらに望ましいもので、すなわち、磁性体部１２の底面から見た時に、コイル導体部１１と磁性体部１２の底面の端子部１３とが重ならないようにすることが望ましく、このようにすることにより、漏れ磁束によるインダクタンス値の低下をほとんどなくすことができるものである。
【００２１】
以上のようにして漏れ磁束によるインダクタンス値の低下を防ぐようにすれば、所定のインダクタンス値に対し、コイル導体部１１の長さを最小限にできるため、小型で、かつ直流抵抗の小さなインダクタンス部品を得ることができるものである。
【００２２】
また、図３、図４に示した従来のインダクタンス部品のように、磁性体部２の両側面から導出した端子部３を磁性体部２の底面側に折り曲げた場合、磁性体部１２の底面に端子部１３が突出する形になるため、実装基板の上に置いたときに安定しにくくなるものである。これに対し、本発明の一実施の形態におけるインダクタンス部品のように、端子部１３を切り欠き部１４によって２つの領域に分け、その幅を大きくするようにすれば、実装基板の上に置いたときにすわりが良くなるため、半田リフロー付けの安定性も向上させることができるものである。
【産業上の利用可能性】
【００２３】
本発明に係るインダクタンス部品は、コイル導体部から導出される端子部を磁性体部の両側面から導出し、かつ前記磁性体部の底面側に折り曲げて半田付け用の端子部を構成するとともに、前記コイル導体部と対向する前記磁性体部の底面に位置する端子部の一部に切り欠き部を形成することにより、漏れ磁束によるインダクタンス値の低下を抑制することができ、そして、所定のインダクタンス値に対してコイル導体部の長さを最小限にすることができるため、直流抵抗値を小さくすることができるとともに、インダクタンス部品の小型化も可能になるという効果を有するものであり、各種電子機器に適用して有用となるものである。
【図面の簡単な説明】
【００２４】
【図１】本発明の実施の形態１におけるインダクタンス部品の端子側から見た側面図
【図２】同インダクタンス部品の底面図
【図３】従来のインダクタンス部品の端子側から見た側面図
【図４】同インダクタンス部品の底面図
【符号の説明】
【００２５】
１１  コイル導体部
１２  磁性体部
１３  端子部
１４  切り欠き部
【図１】
2009117677.tif 000003
【図２】
2009117677.tif 000004
【図３】
2009117677.tif 000005
【図４】
2009117677.tif 000006